(57)【要約】【課題】ＮＤフィルタ、偏光フィルタ、着色フィルタ等の減光フィルタが撮影レンズに装着されているか否かを、容易に判定する。【解決手段】本発明のカメラは、ＴＴＬ測光部と、外部測光部と、フィルタ判定部とを備えている。ＴＴＬ測光部は、撮影レンズを介して被写体から受ける光から、被写体の輝度を、ＴＴＬ測光輝度として検出する。外部測光部は、撮影レンズを介さずに被写体から受ける光から、被写体の輝度を、外部測光輝度として検出する。フィルタ判定部は、外部測光輝度とＴＴＬ測光輝度とを比較することで、減光フィルタが撮影レンズの光路中に存在するか否かを判定する。【選択図】      図１
2004226534.tif 000002
【特許請求の範囲】
【請求項１】
撮影レンズを介して被写体から受ける光から、前記被写体の輝度を、ＴＴＬ測光輝度として検出するＴＴＬ測光部と、
前記撮影レンズを介さずに前記被写体から受ける光から、前記被写体の輝度を、外部測光輝度として検出する外部測光部と、
前記外部測光輝度と前記ＴＴＬ測光輝度とを比較することで、減光フィルタが前記撮影レンズの光路中に存在するか否かを判定するフィルタ判定部と
を備えていることを特徴とするカメラ。
【請求項２】
請求項１記載のカメラにおいて、
電子閃光装置を使用する撮影に際して、前記減光フィルタが存在すると判定された場合、前記減光フィルタの光学特性を求め、前記電子閃光装置の照射量を、前記減光フィルタの光学特性に応じて補正する補正部を備えている
ことを特徴とするカメラ。
【請求項３】
請求項１記載のカメラにおいて、
電子閃光装置を使用する撮影に際して、前記減光フィルタが存在すると判定された場合、前記電子閃光装置の照射量を、前記ＴＴＬ測光輝度と前記外部測光輝度との差が大きいほど多くなるように補正する補正部を備えている
ことを特徴とするカメラ。
【請求項４】
請求項１記載のカメラにおいて、
電子閃光装置を使用する撮影に際して、前記減光フィルタが存在すると判定された場合、前記ＴＴＬ測光輝度と前記外部測光輝度との比較により決まる前記減光フィルタの濃度がほぼ０．６以上（光量の透過率が２５％以下）のときは、前記電子閃光装置の照射量を、前記ＴＴＬ測光輝度と前記外部測光輝度との差が大きいほど多くなるように補正する補正部を備えている
ことを特徴とするカメラ。
【請求項５】
請求項２〜請求項４のいずれか１項記載のカメラにおいて、
前記補正部は、電子閃光装置を使用する撮影に際して、前記減光フィルタが存在すると判定された場合、前記減光フィルタの光学特性を求め、前記光学特性に基づいて、前記電子閃光装置の照射量に対する補正量である推奨補正量、または、前記照射量を補正したものである推奨照射量を求め、
前記補正部が求めた前記推奨補正量、または、前記推奨照射量を表示する表示部を備えている
ことを特徴とするカメラ。
【請求項６】
被写体に光を照射する発光部と、
カメラ側の撮影レンズを介さずに前記被写体から受ける光から、前記被写体の輝度を、外部測光輝度として検出する外部測光部と、
前記カメラ側が前記撮影レンズを介して受ける光から検出する前記被写体の輝度を、前記カメラ側から取得する取得部と、
前記外部測光輝度と、前記カメラ側から取得する前記被写体の輝度とを比較することで、減光フィルタが前記撮影レンズの光路中に存在するか否か、及び前記減光フィルタの光学特性を判定するフィルタ判定部と、
前記減光フィルタが存在すると判定された場合、前記発光部の照射量を、前記減光フィルタの光学特性に応じて補正する発光制御部と
を備えていることを特徴とする電子閃光装置。
【請求項７】
請求項６記載の電子閃光装置において、
前記発光制御部は、前記減光フィルタの濃度がほぼ０．６以上（光量の透過率が２５％以下）と判定された場合、前記照射量を、前記外部測光輝度と前記カメラ側から取得する前記被写体の輝度との差が大きいほど多くなるように補正することを特徴とする電子閃光装置。
【請求項８】
被写体に光を照射する発光部と、
カメラ側の撮影レンズを介さずに前記被写体から受ける光から、前記被写体の輝度を、外部測光輝度として検出する外部測光部と、
前記カメラ側が前記撮影レンズを介して受ける光から検出する前記被写体の輝度を、前記カメラ側から取得する取得部と、
前記外部測光輝度と、前記カメラ側から取得する前記被写体の輝度とを比較することで、減光フィルタが前記撮影レンズの光路中に存在するか否か、及び前記減光フィルタの光学特性を判定するフィルタ判定部と、
前記減光フィルタが存在すると判定された場合、前記減光フィルタの光学特性に基づいて、前記発光部の照射量に対する補正量である推奨補正量、または、前記照射量を補正したものである推奨照射量を求める発光制御部と、
前記発光制御部が求めた前記推奨補正量、または、前記推奨照射量を表示する表示部と
を備えていることを特徴とする電子閃光装置。
【請求項９】
撮影レンズと、被写体に光を照射する発光部とを備えたカメラシステムにおいて、
前記撮影レンズの光路中に光学フィルタが存在するか否かを検出するフィルタ検出部と、
前記フィルタ検出部により前記光学フィルタの存在を検出した場合には、前記発光部による光の照射量を補正する発光補正部と
を備えていることを特徴とするカメラシステム。
【請求項１０】
請求項９記載のカメラシステムにおいて、
前記光学フィルタは、前記撮影レンズを透過する光束を減光する濃度を有する減光フィルタであり、
前記発光補正部は、前記減光フィルタの濃度に応じて前記発光部の照射量を補正する
ことを特徴とするカメラシステム。
【発明の詳細な説明】
【０００１】
【発明の属する技術分野】
本発明は、カメラ、電子閃光装置、及びカメラシステムに関する。具体的には、減光フィルタを撮影レンズに装着したカメラで撮影する場合に、被写体を適正光量で照射するための技術に関する。
【０００２】
【従来の技術】
一般に、カメラに電子閃光装置を装着して光沢物を接写撮影したり、平滑面を有する被写体を接写撮影したりする場合、ハイライトグレアが問題となる。このハイライトグレアを防止するため、カメラの撮影レンズ、及び電子閃光装置の発光部に偏光フィルタを取り付けることがある。これは、偏光フィルタを透過する光は直線偏光になることを用いて、光沢物や平滑面に写された光源像の光を除くためである。しかしながら、この方法では、撮影レンズに入射する光量は、電子閃光装置の調光受光部に入射する光量より少なくなる。このため、電子閃光装置が適正値として算出する照射量は、フィルムまたは撮像素子に適正な露光量を与える照射量より小さくなってしまう。
【０００３】
そこで、特許文献１では、ＴＴＬ測光の機能のない外部測光式のカメラにおいて、撮影レンズ及び電子閃光装置の発光部に偏光フィルタを装着し、電子閃光装置の調光受光部を適切な濃度のフィルタで覆うことで、発光量を調整している。
【特許文献１】
特開平６−２２２４３０号公報  （第２−３項、第１図）
【０００４】
【発明が解決しようとする課題】
特許文献１の方法では、装着される偏光フィルタの種類に応じて、調光受光部を覆うフィルタを変更しなければならない。特に、フィルタの濃度や露出倍率等に詳しくないユーザが、使用する偏光フィルタに応じて調光受光部を覆うフィルタを選択することは、面倒且つ困難である。
【０００５】
また、撮影レンズにＮＤフィルタ（ｎｅｕｔｒａｌ  ｄｅｎｓｉｔｙ  ｆｉｌｔｅｒ）や着色フィルタ等の減光フィルタを装着して、ＴＴＬ調光モードで撮影を行うと、露光不足になることがある。これは、高濃度の（露出倍率が高い）減光フィルタの多くは、可視光域では透過率が低いが、赤外域では透過率が低くないことと、ＴＴＬ調光センサは赤外域にも感度を持つことによる。このため、ＴＴＬ調光モードで撮影すると、赤外域の光の殆どは、ＮＤフィルタでカットされずにＴＴＬ調光センサに到達する。そして、ＴＴＬ調光センサは、受光する赤外域の光も被写体輝度の一部として検出してしまう。従って、実際には可視光域の光束の輝度は相対的に少ないにも拘わらず、ＴＴＬ調光センサは被写体輝度を人間の目から見た場合より高く認識する。この結果、適正発光量より少ない光量で照射するように制御されてしまう。
【０００６】
本発明の目的は、ＮＤフィルタ、偏光フィルタ、着色フィルタ等の減光フィルタが撮影レンズに装着されているか否かを、容易に判定する技術を提供することである。
本発明の別の目的は、減光フィルタを撮影レンズに装着しても、容易に適正光量で被写体を照射できる技術を提供することである。
【０００７】
【課題を解決するための手段】
請求項１のカメラは、ＴＴＬ測光部と、外部測光部と、フィルタ判定部とを備えている。ＴＴＬ測光部は、撮影レンズを介して被写体から受ける光から、被写体の輝度を、ＴＴＬ測光輝度として検出する。外部測光部は、撮影レンズを介さずに被写体から受ける光から、被写体の輝度を、外部測光輝度として検出する。フィルタ判定部は、外部測光輝度とＴＴＬ測光輝度とを比較することで、減光フィルタが撮影レンズの光路中に存在するか否かを判定する。
【０００８】
請求項２のカメラは、補正部を備えている。電子閃光装置を使用する撮影に際して、減光フィルタが存在すると判定された場合、補正部は、減光フィルタの光学特性を求め、電子閃光装置の照射量を、減光フィルタの光学特性に応じて補正する。なお、電子閃光装置は、カメラに内蔵されているものでも、カメラに装着されるものでもよい（以下のカメラの請求項でも同様）。
【０００９】
請求項３のカメラは、補正部を備えている。電子閃光装置を使用する撮影に際して、減光フィルタが存在すると判定された場合、補正部は、電子閃光装置の照射量を、ＴＴＬ測光輝度と外部測光輝度との差が大きいほど多くなるように補正する。
請求項４のカメラは、補正部を備えている。電子閃光装置を使用する撮影に際して、減光フィルタが存在すると判定された場合において、ＴＴＬ測光輝度と外部測光輝度との比較により決まる減光フィルタの濃度がほぼ０．６以上（光量の透過率が２５％以下）のとき、補正部は、電子閃光装置の照射量を、ＴＴＬ測光輝度と外部測光輝度との差が大きいほど多くなるように補正する。
【００１０】
請求項５のカメラでは、補正部は、電子閃光装置を使用する撮影に際して、減光フィルタが存在すると判定された場合、減光フィルタの光学特性を求め、この光学特性に基づいて、電子閃光装置の照射量に対する補正量である推奨補正量、または、照射量を補正したものである推奨照射量を求める。さらに、本請求項のカメラは、補正部が求めた推奨補正量、または、推奨照射量を表示する表示部を備えている。
【００１１】
請求項６の電子閃光装置は、被写体に光を照射する発光部と、外部測光部と、取得部と、フィルタ判定部と、発光制御部とを備えている。外部測光部は、カメラ側の撮影レンズを介さずに被写体から受ける光から、被写体の輝度を、外部測光輝度として検出する。取得部は、カメラ側が撮影レンズを介して受ける光から検出する被写体の輝度を、カメラ側から取得する。フィルタ判定部は、外部測光輝度と、カメラ側から取得する被写体の輝度とを比較することで、減光フィルタが撮影レンズの光路中に存在するか否か、及び減光フィルタの光学特性を判定する。発光制御部は、減光フィルタが存在すると判定された場合、発光部の照射量を、減光フィルタの光学特性に応じて補正する。
【００１２】
請求項７の電子閃光装置では、発光制御部は、減光フィルタの濃度がほぼ０．６以上（光量の透過率が２５％以下）と判定された場合、照射量を、外部測光輝度とカメラ側から取得する被写体の輝度との差が大きいほど多くなるように補正する。
請求項８の電子閃光装置は、被写体に光を照射する発光部と、外部測光部と、取得部と、フィルタ判定部と、発光制御部とを備えている。外部測光部は、カメラ側の撮影レンズを介さずに被写体から受ける光から、被写体の輝度を、外部測光輝度として検出する。取得部は、カメラ側が撮影レンズを介して受ける光から検出する被写体の輝度を、カメラ側から取得する。フィルタ判定部は、外部測光輝度と、カメラ側から取得する被写体の輝度とを比較することで、減光フィルタが撮影レンズの光路中に存在するか否か、及び減光フィルタの光学特性を判定する。発光制御部は、減光フィルタが存在すると判定された場合、減光フィルタの光学特性に基づいて、発光部の照射量に対する補正量である推奨補正量、または、照射量を補正したものである推奨照射量を求める。表示部は、発光制御部が求めた推奨補正量、または、推奨照射量を表示する。
【００１３】
請求項９の発明は、撮影レンズと、被写体に光を照射する発光部とを備えたカメラシステムにおいて、フィルタ検出部と、発光補正部とを備えていることを特徴とする。フィルタ検出部は、撮影レンズの光路中に光学フィルタが存在するか否かを検出する。発光補正部は、フィルタ検出部により光学フィルタの存在を検出した場合には、発光部による光の照射量を補正する。
【００１４】
請求項１０の発明は、請求項９記載のカメラシステムにおいて、以下の点を特徴とする。第１に、光学フィルタは、撮影レンズを透過する光束を減光する濃度を有する減光フィルタである。第２に、発光補正部は、減光フィルタの濃度に応じて発光部の照射量を補正する。
【００１５】
【発明の実施の形態】
以下、図面を用いて本発明の実施の形態を説明する。
【００１６】
＜第１の実施形態＞
図１は、本発明の第１の実施形態における撮影システム１０Ａの構成を示している。本実施形態は、請求項１〜請求項５、請求項９、及び請求項１０に対応する。図において、撮影システム１０Ａ（請求項記載のカメラシステムに対応）は、本発明のカメラ１２Ａに、撮影レンズ１４及び減光フィルタ１６を装着し、記録媒体１８を接続することで構成されている。撮影レンズ１４は、レンズ群２０と、絞り２２とで構成されている。
【００１７】
カメラ１２Ａは、ＣＰＵ３０ａと、画像処理部３２と、ＴＴＬ調光センサ３６と、ミラー４０（クィックリターンミラー）と、フォーカルプレーンシャッタ４２と、ＣＣＤ４４と、設定部５０ａと、レリーズ釦５２と、表示部５４と、ファインダ５６と、拡散板６０と、ペンタプリズム６２と、ＴＴＬ測光センサ６４と、ＴＴＬ測光回路６６と、外部測光回路７０と、外部測光センサ７２と、発光部７８と、発光制御部８０とで構成されている。
【００１８】
ＣＣＤ４４及び画像処理部３２は、撮影レンズ１４によってＣＣＤ４４の受光面に形成される被写体の光像を撮像する。
設定部５０ａは、ユーザがカメラ１２Ａを自動露出モード、絞り値優先モード、シャッタ秒時優先モード、マニュアル露出モードのいずれかに設定するための釦を有している。また、設定部５０ａは、ユーザが絞り値、露光時間（シャッタ秒時）、ＣＣＤ４４のＩＳＯ値（撮像感度）を入力するための釦群を有している。さらに、設定部５０ａは、ユーザが発光量を決定するための釦を有している。
【００１９】
レリーズ釦５２は、オンされたとき、ＣＰＵ３０ａに撮影を指令する。
ＣＰＵ３０ａは、カメラ１２Ａのシステムコントロールを行う。例えば、ＣＣＤ４４の出力のゲインを調節することで、撮像感度（ＩＳＯ値）を調節する。
表示部５４は、ＣＰＵ３０ａの指令に応じて、絞り値、撮像感度、露光時間、及び後述する推奨補正量を表示する。
【００２０】
以下、請求項と本実施形態との対応関係を説明する。なお、以下に示す対応関係は、参考のために示した一解釈であり、本発明を限定するものではない。
請求項記載のＴＴＬ測光部は、ＴＴＬ測光センサ６４及びＴＴＬ測光回路６６に対応する（後述するステップＳ１参照）。
請求項記載の外部測光部は、外部測光センサ７２及び外部測光回路７０に対応する（後述するステップＳ２参照）。
【００２１】
請求項記載のフィルタ判定部及びフィルタ検出部は、減光フィルタ１６が撮影レンズ１４に装着されているか否か、及び、減光フィルタ１６の光学特性を判定するＣＰＵ３０ａの機能に対応する（後述するステップＳ３、Ｓ５参照）。
請求項記載の補正部及び発光補正部は、発光部７８の発光量（照射量）を、減光フィルタ１６の光学特性に応じて補正するＣＰＵ３０ａの機能に対応する（後述するステップＳ６参照）。
請求項２〜５記載の電子閃光装置は、発光部７８及び発光制御部８０に対応する。
【００２２】
図２は、上述したカメラ１２Ａの動作を示す流れ図である。図３は、ＣＰＵ３０ａが照射量の補正量を求めるときに用いるテーブルデータの一例を、グラフとして示したものである。以下、図３を用い、図２に示すステップ番号に従って、カメラ１２Ａの動作を説明する。
【００２３】
［ステップＳ１］
ＴＴＬ測光センサ６４は、撮影前に、撮影レンズ１４、ミラー４０、及びペンタプリズム６２を介して被写体から受ける光量を検出及び出力する。ＴＴＬ測光回路６６は、ＴＴＬ測光センサ６４が出力する光量から被写体輝度を検出し、ＴＴＬ測光輝度として、ＣＰＵ３０ａに伝達する。
【００２４】
［ステップＳ２］
外部測光センサ７２は、撮影前に、被写体から直接受ける光量を検出及び出力する。外部測光回路７０は、外部測光センサ７２が出力する光量から被写体輝度を検出し、外部測光輝度として、ＣＰＵ３０ａに伝達する。なお、撮影レンズ１４に減光フィルタが装着されていない場合に、ＴＴＬ測光輝度と外部測光輝度とが等しい値になるように、ＴＴＬ測光回路６６及び外部測光回路７０の出力ゲインは予め調節されている。
【００２５】
［ステップＳ３］
ＣＰＵ３０ａは、ＴＴＬ測光輝度と、外部測光輝度との比率を算出する。ＣＰＵ３０ａは、この結果に基づいて、減光フィルタ１６が撮影レンズ１４に装着されているか否かを判定する。例えば、ＴＴＬ測光輝度を外部測光輝度で割った値が所定値以下の場合、装着されていると判定する。なお、これら２つの測光輝度の差が所定値以上の場合に、装着されていると判定してもよい。装着されている場合、ステップＳ５に進み、装着されていない場合、ステップＳ４に進む。
【００２６】
なお、ここで判定している『装着されている』とは、『減光フィルタ１６が撮影レンズ１４の光路中に存在する』という意味であり、減光フィルタ１６が撮影レンズ１４に直接装着されていなくてもよい。請求項記載の『光路中に存在する』は、例えば、『撮影レンズの画角内の被写体と、撮像素子の受光面（またはフィルム面）との直線間に減光フィルタが存在すること』、『撮影レンズの像空間に減光フィルタが存在すること』を意味する。
【００２７】
［ステップＳ４］
ここでは減光フィルタ１６の影響を考慮しなくてよいため、公知のＴＴＬ調光制御が行われる。まず、ＣＰＵ３０ａは、フォーカルプレーンシャッタ４２を閉じてミラー４０を上げた状態で、発光部７８に、所定の光量でのプリ発光（予備発光）を行わせる。このとき、ＴＴＬ調光センサ３６は、撮影レンズ１４を透過してフォーカルプレーンシャッタ４２のシャッタ幕で反射する被写体からの光量を検出し、ＣＰＵ３０ａに伝達する。
【００２８】
プリ発光の停止後、ＣＰＵ３０ａは、ＴＴＬ調光センサ３６の出力値、撮像感度等に応じて、本発光量（いわゆる調光量であり、本発光をプリ発光の何倍の発光量にするか）を求め、発光制御部８０に伝達する。
次に、ＣＰＵ３０ａは、フォーカルプレーンシャッタ４２を全開させ、発光部７８及び発光制御部８０に、求めた本発光量で本発光させる。そして、設定された露光時間後にフォーカルプレーンシャッタ４２は閉じ、ＣＣＤ４４の露光は終了する。この後、画像処理部３２は、ＣＣＤ４４が受光量に応じて生成した電荷を読み出して画像データを生成し、この画像データを記録媒体１８に記録する。
以上の処理により、撮影動作は終了する。
【００２９】
［ステップＳ５］
ＣＰＵ３０ａは、例えば、ステップＳ３で求めた比率（ＴＴＬ測光輝度を外部測光輝度で割った値）を、減光フィルタ１６の光量の透過率（以下、透過率と略記）とする。透過率が２５％以上の場合、ステップＳ４に進み、通常のＴＴＬ調光制御を行う。透過率２５％未満の場合、ＣＰＵ３０ａは、透過率をフィルタの濃度に換算し、ステップＳ６に進む。
【００３０】
［ステップＳ６］
ＣＰＵ３０ａは、フィルタの濃度と調光補正量との対応関係を表すテーブルデータを参照する。このテーブルデータは、過去の実験データに基づいてＣＰＵ３０ａに予め記憶させたものであり、グラフで表せば、例えば、図３のようになる。なお、図３のデータは、以下の条件での実験から得られたものである。
【００３１】
2004226534.tif 000003
本実施形態では、図３に示すように、調光補正量を露出値ＥＶ（ｅｘｐｏｓｕｒｅ  ｖａｌｕｅ）の単位で表す。露出値は、例えば、被写体輝度とＩＳＯ値との積を露出計定数で割った値が、２の何乗になるかを示す値である。ＣＰＵ３０ａは、ステップＳ５で求めた減光フィルタ１６の濃度に基づいて、フィルタの濃度と調光補正量との対応関係を補間し、適正な調光補正量を算出する。
【００３２】
ＣＰＵ３０ａは、調光補正量を推奨補正量として表示部５４に表示させる。これにより、ユーザは、『撮影レンズに減光フィルタが装着されている。従って、通常のＴＴＬ調光制御で照射される発光量より、推奨補正量で表示された分だけ多めに照射すれば、露光量は適正値になる。』ことを知らされる。
なお、本実施形態において、フィルタの濃度を考慮した調光補正を行うか否かを、透過率２５％（濃度０．６）を境に判断する理由は以下の通りである。
【００３３】
図３から明らかなように、フィルタの濃度が０．６の点（変曲点）を境に、グラフの傾き（調光補正量÷フィルタ濃度）が急激に増加している。従って、この例では、少なくともフィルタの濃度がおよそ０．６以上の場合には、フィルタの濃度を考慮した調光補正を行うべきであると考えられる。請求項記載の『減光フィルタの濃度がほぼ０．６以上（光量の透過率が２５％以下）のとき』は、例えば、『（調光補正量÷フィルタ濃度）が急激に増加する変曲点のフィルタの濃度以上のとき』を意味する。また、請求項記載の『光量の透過率』は、例えば、可視光域での透過率を意味する。
【００３４】
［ステップＳ７］
ユーザは、表示された推奨補正量を参考に、設定部５０ａを操作して発光量の補正量を決定する。ユーザは、推奨補正量で補正することで、減光フィルタ１６の光学特性を加味した適正な露出の画像を撮ることができる。このとき、ユーザは、発光量を推奨補正量より少なく（または多く）補正することで、露光不足気味（または露光過度気味）の写真を意図的に撮ることができる。
【００３５】
［ステップＳ８］
ステップＳ７で入力された補正量を加味したＴＴＬ調光制御が行われる。まず、ＣＰＵ３０ａは、ステップＳ４と同様にプリ発光を行わせ、ＴＴＬ調光センサ３６に受光量を出力させる。プリ発光の停止後、ＣＰＵ３０ａは、ステップＳ４と同様に、ＴＴＬ調光センサ３６の出力値等に応じて、本発光量を求める。
次に、ＣＰＵ３０ａは、入力された補正量に基づいて本発光量を補正し、補正後の本発光量を発光制御部８０に伝達する。以下、ステップＳ４と同様に撮影が行われる。
以上が本実施形態のカメラ１２Ａの動作説明である。
【００３６】
以上、本実施形態では、２つの手段により被写体輝度を検出するため、カメラ１２ＡにＴＴＬ測光センサ６４及び外部測光センサ７２を設けた。従って、これらの出力から得られる被写体輝度の差に基づいて、撮影レンズ１４に減光フィルタ１６が装着されているか否かを容易に判定できる。また、減光フィルタ１６の装着を機械的に判定するための特別な機構を設ける必要はない。
【００３７】
濃度０．６以上の減光フィルタ１６が撮影レンズ１４に装着されている場合、減光フィルタ１６の濃度に応じて、ＴＴＬ調光制御での発光量の補正を行う。従って、装着されている減光フィルタ１６の濃度に応じて、被写体を適正な光量で照射できる。
このように、実験データから得たテーブルデータを用いて調光補正することで、従来例の課題であった赤外光による不具合も改善できる。
【００３８】
ＴＴＬ測光センサ６４及びＴＴＬ調光センサ３６への入射光が減光フィルタ１６の透過光となるためには、減光フィルタ１６は、ミラー４０より被写体側に配置されていればよい。従って、撮影レンズ１４の前端、後端、差し込み等の減光フィルタ１６の装着位置に拘わらず、減光フィルタ１６の有無を判定し、被写体を適正な光量で照射できる。
【００３９】
特許文献１の方法では、ユーザは、装着する偏光フィルタに応じて適切な濃度のフィルタを選択し、選択したフィルタで電子閃光装置の調光受光部を覆う必要があった。本実施形態では、ユーザは、そのようなことをする必要がない。即ち、ユーザは、減光フィルタ１６の光学特性を考慮する必要がないので、撮影に専念できる。この結果、ユーザの利便性は多いに向上する。
【００４０】
＜第２の実施形態＞
次に、本発明の第２の実施形態を説明する。本実施形態は、請求項１〜請求項４、請求項９、及び請求項１０に対応する。本実施形態と第１の実施形態との主な相違点は、前記した推奨補正量を表示しないことと、フィルタの濃度が低い場合にも発光量を補正することのみである。従って、本実施形態では、構成図を省略し、撮影システムを１０Ｂ、カメラを１２Ｂ、ＣＰＵを３０ｂと区別して表記する。
【００４１】
図４は、本実施形態のカメラ１２Ｂの動作を示す流れ図である。以下、図４に示すステップ番号に従って、カメラ１２Ｂの動作を説明する。なお、ステップＳ２１、Ｓ２２、Ｓ２３、Ｓ２４の処理は、第１の実施形態のステップＳ１、Ｓ２、Ｓ３、Ｓ４とそれぞれ同じであるので、説明を省略する。
［ステップＳ２５］
ＣＰＵ３０ｂは、例えば、ステップＳ２３で求めた比率（ＴＴＬ測光輝度を外部測光輝度で割った値）を、透過率とする。ＣＰＵ３０ｂは、透過率をフィルタの濃度に換算し、ステップＳ２６に進む。
【００４２】
［ステップＳ２６］
ＣＰＵ３０ｂは、第１の実施形態のステップＳ６と同様に、フィルタの濃度に基づいて、前記したテーブルデータから推奨補正量を算出する。
［ステップＳ２７］
ＣＰＵ３０ａは、ステップＳ２４と同様にプリ発光を行わせ、ＴＴＬ調光センサ３６の出力値等に応じて、本発光量を求める。次に、ＣＰＵ３０ａは、推奨補正量に基づいて本発光量を補正し、補正後の本発光量を発光制御部８０に伝達する。以下、第１の実施形態のステップＳ４と同様に本発光での撮影が行われる。
以上が本実施形態のカメラ１２Ｂの動作説明である。
【００４３】
以上、第２の実施形態においても、上述した第１の実施形態と同様の効果を得ることができる。さらに、本実施形態では、減光フィルタ１６が装着されていても、カメラ１２Ｂは、減光フィルタ１６の濃度に応じて、ＴＴＬ調光制御での発光量を自動的に補正する。このため、ユーザは、推奨補正量等を参考に発光量を選択する必要がない。従って、ユーザの操作量を低減でき、より早い撮影が可能となる。
【００４４】
＜第３の実施形態＞
図５は、本発明の第３の実施形態における撮影システム１０Ｃの構成を示している。本実施形態は、請求項６〜請求項８に対応する。第１の実施形態と同一要素には同一符号を付し、その説明を省略する。図において、撮影システム１０Ｃは、カメラ１２Ｃに、撮影レンズ１４、減光フィルタ１６、及び本発明の電子閃光装置８４を装着し、記録媒体１８を接続することで構成されている。
【００４５】
カメラ１２Ｃは、ＣＰＵ３０ｃと、画像処理部３２と、ＴＴＬ調光センサ３６と、ミラー４０と、フォーカルプレーンシャッタ４２と、ＣＣＤ４４と、設定部５０ｃと、レリーズ釦５２と、ファインダ５６と、拡散板６０と、ペンタプリズム６２と、ＴＴＬ測光センサ６４と、ＴＴＬ測光回路６６と、通信端子８６とで構成されている。
【００４６】
カメラ１２Ｃは、外部測光センサ７２及び外部測光回路７０を有さず、本発光での発光量を電子閃光装置８４に伝達することを除いて、第１の実施形態のカメラ１２Ａとほぼ同様に機能する。
電子閃光装置８４は、シュー接点８８と、外部測光回路９０と、外部測光センサ９２と、発光部９４と、発光制御部９６と、表示部９８と、設定部１００とで構成されている。
【００４７】
シュー接点８８は、カメラ１２Ｃの通信端子８６に接続される。シュー接点８８及び通信端子８６は、カメラ１２ＣのＣＰＵ３０ｃと、発光制御部９６とのデータ交信を行う接点として機能する。
発光部９４は、発光制御部９６の指令に応じて発光する。また、発光部９４は、配光角（照射角）及びバウンス角度を可変であり、発光面にレンズや拡散板、フィルタ等を装着可能である。
【００４８】
発光制御部９６は、発光部９４の配光角（照射角）を、撮影レンズ１４の焦点距離により決まる画角に合わせる。
設定部１００は、発光量を選択するための釦群を有している。また、設定部１００は、発光制御部９６を、外部調光モード、マニュアル発光モード、ＴＴＬ調光モードのいずれかに設定するための釦を有している。本実施形態では、外部調光モード及びマニュアル発光モードの説明を省略し、ＴＴＬ調光モードについてのみ説明する。
【００４９】
以下、請求項と本実施形態との対応関係を説明する。なお、以下に示す対応関係は、参考のために示した一解釈であり、本発明を限定するものではない。
請求項記載の外部測光部は、外部測光センサ９２、外部測光回路９０に対応する（後述するステップＳ４２を参照）。
請求項記載の取得部は、シュー接点８８及び発光制御部９６に対応する。
請求項記載のフィルタ判定部は、減光フィルタ１６が撮影レンズ１４に装着されているか否か、及び、減光フィルタ１６の光学特性を判定する発光制御部９６の機能に対応する（後述するステップＳ４３、Ｓ４５を参照）。
【００５０】
図６は、上述した電子閃光装置８４の動作を示す流れ図である。以下、図６に示すステップ番号に従って、電子閃光装置８４の動作を説明する。
【００５１】
［ステップＳ４１］
ＴＴＬ測光回路６６は、ＴＴＬ測光センサ６４が出力する光量から被写体輝度を検出し、ＴＴＬ測光輝度として、ＣＰＵ３０ｃに伝達する。ＣＰＵ３０ｃは、通信端子８６及びシュー接点８８を介して、このＴＴＬ測光輝度を電子閃光装置８４の発光制御部９６に伝達する。
【００５２】
［ステップＳ４２］
外部測光回路９０は、外部測光センサ９２が出力する光量から被写体輝度を検出し、外部測光輝度として、発光制御部９６に伝達する。なお、撮影レンズ１４に減光フィルタ１６が装着されていない場合に、ＴＴＬ測光輝度と外部測光輝度とが等しい値になるように、外部測光回路９０の出力ゲインは予め調節されている。
【００５３】
［ステップＳ４３］
発光制御部９６は、第１の実施形態のステップＳ３と同様に、ＴＴＬ測光輝度と、外部測光輝度との比率に基づいて、減光フィルタ１６が撮影レンズ１４に装着されているか否かを判定する。装着されている場合、ステップＳ４５に進み、装着されていない場合、ステップＳ４４に進む。
【００５４】
［ステップＳ４４］
ここでは減光フィルタ１６の影響を考慮しなくてよいため、第１の実施形態のステップＳ４とほぼ同様のＴＴＬ調光制御が行われる。まず、ＣＰＵ３０ｃは、発光制御部９６及び発光部９４に、所定の光量でのプリ発光を行わせる。プリ発光の停止後、ＣＰＵ３０ｃは、ＴＴＬ調光センサ３６の出力値等に応じて、本発光量（プリ発光の何倍の発光量にするか）を求め、発光制御部９６に伝達する。次に、ＣＰＵ３０ａは、フォーカルプレーンシャッタ４２を全開させ、発光制御部９６及び発光部９４に、求めた本発光量で本発光させる。そして、撮影は終了する。
【００５５】
［ステップＳ４５］
発光制御部９６は、第１の実施形態のステップＳ５と同様に、ＴＴＬ測光輝度と、外部測光輝度との比率から透過率を算出する。透過率が２５％以上の場合、ステップＳ４４に進む。透過率２５％未満の場合、発光制御部９６は、透過率をフィルタの濃度に換算し、ステップＳ４６に進む。
【００５６】
［ステップＳ４６］
発光制御部９６は、減光フィルタ１６の濃度に基づいて、予め記憶している第１の実施形態と同じテーブルデータを用い、推奨補正量を算出する。そして、発光制御部９６は、推奨補正量を表示部９８に表示させる。
これにより、ユーザは、『撮影レンズに減光フィルタが装着されている。従って、通常のＴＴＬ調光制御で照射される発光量より、推奨補正量で表示された分だけ多めに照射すれば、露光量は適正値になる。』ことを知らされる。
【００５７】
なお、本発光量を推奨補正量で補正した補正後本発光量を発光制御部９６が求め、これを推奨補正量の代わりに表示してもよい。この場合、表示される補正後本発光量は、請求項記載の推奨照射量に対応する。
［ステップＳ４７］
ユーザは、表示された推奨補正量を参考に、設定部１００を操作して発光量の補正量を決定する。なお、ステップＳ４６で補正後本発光量を表示させる場合には、ユーザは、補正量ではなく本発光量を決定する。
【００５８】
［ステップＳ４８］
ステップＳ４７で入力された補正量を加味したＴＴＬ調光制御が行われる。まず、ＣＰＵ３０ｃは、ステップＳ４４と同様にプリ発光を行わせる。プリ発光の停止後、ＣＰＵ３０ｃは、ＴＴＬ調光センサ３６の出力値等に応じて本発光量を求め、発光制御部９６に伝達する。次に、発光制御部９６は、ステップＳ４７で入力された補正量に基づいて本発光量を補正する。以下、補正後の本発光量での本発光、及びＣＣＤ４４の露光が行われ、撮影は終了する。
以上が本実施形態の電子閃光装置８４の動作説明である。
以上、第３の実施形態においても、上述した第１の実施形態と同様の効果を得ることができる。
【００５９】
＜本発明の補足事項＞
（１）
上述した第１及び第２の実施形態では、カメラ１２Ａが電子閃光装置（発光部７８及び発光制御部８０）を内蔵している例を述べた。本発明は、かかる実施形態に限定されるものではない。例えば、発光部７８、発光制御部８０を省き、電子閃光装置をカメラ１２Ａに装着してもよい。
【００６０】
（２）
第１及び第３の実施形態では、傾き（調光補正量÷フィルタ濃度）が急激に増加する変曲点を境に、フィルタの濃度を考慮した調光補正を行うか否かを判断した例を述べた。本発明は、かかる実施形態に限定されるものではない。例えば、調光補正後の発光量で決まる露出値と、調光補正をしない発光量で決まる露出値とを比較することで、調光補正を行わなくても露出が適正範囲内に収まるか否かを判断し、調光補正を行うか否かを判断してもよい。
【００６１】
（３）
第１〜第３の実施形態では、減光フィルタ１６が装着されている場合、発光量のみを補正することで、ＣＣＤ４４の露光量を適正範囲内にする例を述べた。本発明は、かかる実施形態に限定されるものではない。推奨補正量で補正した光量が発光部（７８、９４）の発光可能範囲より大きい場合、露出補正も行うことで露光量を適正範囲内にすればよい。例えば、最大発光量で照射すると共に、絞り値を小さくして撮影レンズ１４を透過する光量を大きくすればよい。或いは、最大発光量で照射すると共に、ＣＣＤ４４のＩＳＯ値を大きくすればよい。
【００６２】
（４）
第１〜第３の実施形態では、カメラ（１２Ａ〜１２Ｃ）が電子カメラである例を述べた。本発明は、かかる実施形態に限定されるものではない。カメラは、フィルムカメラでもよい。
【００６３】
（５）
第１及び第３の実施形態では、表示部（５４、９８）に推奨補正量を表示し、ユーザに発光量の補正量を決定させた例を述べた。本発明は、かかる実施形態に限定されるものではない。第２の実施形態のように、ユーザに照射量を決定させず、推奨補正量を加味した照射量で自動的に撮影を実施してもよい。
【００６４】
（６）
第１及び第３の実施形態では、プリ発光の前に、フィルタの濃度及び推奨補正量を求め、発光量の推奨補正量を表示部（５４、９８）に表示した例を述べた。本発明は、かかる実施形態に限定されるものではない。例えば、図７に示すように、プリ発光を始めに行うことで、本発光量の算出、減光フィルタが装着されているか否かの判定、フィルタの濃度の算出、及び推奨補正量の算出をほぼ同時に行ってもよい。この場合、例えば、以下のように動作させる。
【００６５】
まず、プリ発光を行い、外部測光センサを備えた外部調光用の制御回路（図示せず）を用いて被写体輝度を外部測光輝度として検出する。同時に、ＣＰＵ３０ａは、ＴＴＬ調光センサの出力の時間積分値に基づいて被写体輝度を求める（図７のステップＳ６１）。
次に、ＣＰＵ３０ａは、ＴＴＬ調光センサを用いて求めた被写体輝度に基づき、本発光量を求める。（ステップＳ６２）
次に、ＣＰＵ３０ａ（発光制御部９６）は、外部測光輝度と、ＴＴＬ調光センサを用いて求めた被写体輝度との比率に基づいて、撮影レンズ１４に減光フィルタ１６が装着されているか否かを判定する（ステップＳ６３）。
【００６６】
装着されている場合、ＣＰＵ３０ａ（発光制御部９６）は、フィルタの濃度及び推奨補正量を求める（ステップＳ６５）。そして、ＣＰＵ３０ａ（発光制御部９６）は、本発光量を推奨補正量で補正し、補正後の本発光量で本発光を行う（ステップＳ６６）。
この場合、減光フィルタが装着されていないときに、外部測光輝度と、ＴＴＬ調光センサの出力の時間積分値が示す被写体輝度とが同じになるように、ＴＴＬ調光センサの出力ゲインを調節しておくことが好ましい。
これにより、測光回路で被写体輝度を測定することが困難な被写界（定常光が測光限界付近の暗さの被写界）を撮影する場合でも、減光フィルタが装着されているか否か、及びフィルタ濃度を正確に判定できる。
【００６７】
（７）
第１及び第２の実施形態では、カメラが外部測光手段として外部測光センサ７２及び外部測光回路７０を備えている例を述べた。本発明は、かかる実施形態に限定されるものではない。例えば、外部測光センサ７２及び外部測光回路７０をカメラから省き、ホワイトバランス用の測色センサを外部測光手段として用いてもよい。或いは、外部測光センサ７２及び外部測光回路７０をカメラから省き、カメラに電子閃光装置を装着し、この電子閃光装置の外部調光センサを外部測光手段としてカメラが用いてもよい。
【００６８】
【発明の効果】
本発明のカメラは、ＴＴＬ測光部及び外部測光部を有するので、これらが検出する被写体輝度の比率に基づいて、撮影レンズに減光フィルタが装着されているか否かを容易に判定できる。
本発明の電子閃光装置は、カメラ側が撮影レンズを介して受ける光から検出する被写体の輝度と、外部測光部により検出する被写体輝度とを比較する。このため、撮影レンズに減光フィルタが装着されているか否かを容易に判定できる。
【００６９】
本発明のカメラ、電子閃光装置、及びカメラシステムは、減光フィルタが撮影レンズに装着されている場合、減光フィルタの光学特性を求め、この光学特性に応じて発光量を補正できる。従って、被写体を適正な光量で照射できる。
【図面の簡単な説明】
【図１】本発明の第１の実施形態における、カメラの構成を示すブロック図である。
【図２】図１のカメラの動作を示す流れ図である。
【図３】減光フィルタの濃度と、調光補正量との関係の一例を示す説明図である。
【図４】本発明の第２の実施形態におけるカメラの動作を示す流れ図である。
【図５】本発明の第３の実施形態における、電子閃光装置及びカメラの構成を示すブロック図である。
【図６】図５の電子閃光装置の動作を示す流れ図である。
【図７】プリ発光を始めに行うことで、減光フィルタが装着されているか否かの判定、フィルタの濃度の算出等を行う場合の動作の流れ図である。
【符号の説明】
１０Ａ、１０Ｂ、１０Ｃ  撮影システム
１２Ａ、１２Ｂ、１２Ｃ  カメラ
１４  撮影レンズ
１６  減光フィルタ
１８  記録媒体
２０  レンズ群
２２  絞り
３０ａ、３０ｂ、３０ｃ  ＣＰＵ
３２  画像処理部
３６  ＴＴＬ調光センサ
４０  ミラー
４２  フォーカルプレーンシャッタ
４４  ＣＣＤ
５０ａ、５０ｃ  設定部
５２  レリーズ釦
５４  表示部
５６  ファインダ
６０  拡散板
６２  ペンタプリズム
６４  ＴＴＬ測光センサ
６６  ＴＴＬ測光回路
７０  外部測光回路
７２  外部測光センサ
７８  発光部
８０  発光制御部
８４  電子閃光装置
８６  通信端子
８８  シュー接点
９０  外部測光回路
９２  外部測光センサ
９４  発光部
９６  発光制御部
９８  表示部
１００  設定部
【図１】
2004226534.tif 000004
【図２】
2004226534.tif 000005
【図３】
2004226534.tif 000006
【図４】
2004226534.tif 000007
【図５】
2004226534.tif 000008
【図６】
2004226534.tif 000009
【図７】
2004226534.tif 000010